(57)【要約】  ディスプレイのバックライトの強度を調整する方法を開示する。本方法は、ユーザによって起動されたタスクに応答して、電子デバイスのディスプレイを照明するバックライトを減光することを含む。本方法はまた、タスクが完了するより前に、タスクの進行に基づいてバックライトの強度を自動的に調整することを含む。【選択図】      図１
2013525907.tif 000002
【特許請求の範囲】
【請求項１】
ユーザによって起動されたタスクに応答して、電子デバイスのディスプレイを照明するバックライトを減光することと、
前記タスクが完了するより前に、前記タスクの進行に基づいて前記バックライトの強度を自動的に調整することと
を備える方法。
【請求項２】
前記タスクが、ウェブページをダウンロードすることを含む、請求項１に記載の方法。
【請求項３】
前記タスクが、ドキュメントをダウンロードすることを含む、請求項１に記載の方法。
【請求項４】
前記タスクが、電子メールにアクセスすることを含む、請求項１に記載の方法。
【請求項５】
前記タスクが完了したことを検出すると、ユーザにアラートすることをさらに備える、請求項１に記載の方法。
【請求項６】
前記ユーザが可聴信号によってアラートされる、請求項５に記載の方法。
【請求項７】
前記ユーザが触覚信号によってアラートされる、請求項５に記載の方法。
【請求項８】
前記バックライトの前記強度を自動的に調整することが、前記タスクの完了を検出するより前に前記バックライトの前記強度を複数回調整することを備える、請求項１に記載の方法。
【請求項９】
前記バックライトの前記強度を自動的に調整することは、前記タスクの前記進行が第１のしきい値を満たすときを判断し、前記タスクの前記進行が前記第１のしきい値を満たすことを検出すると、前記バックライト強度を第１の量だけ調整することと、前記タスクの前記進行が第２のしきい値を満たすときを判断し、前記タスクの前記進行が前記第２のしきい値を満たすことを検出すると、前記バックライト強度を第２の量だけ調整することとを備える、請求項８に記載の方法。
【請求項１０】
前記タスクの前記進行が、前記タスクを完了するために残っている推定時間量に少なくとも部分的に基づく、請求項１に記載の方法。
【請求項１１】
前記タスクが完了したことを検出すると、前記バックライトを元の強度に戻すことをさらに備える、請求項１に記載の方法。
【請求項１２】
前記バックライトの前記強度を自動的に調整することが、前記バックライトの前記強度を上げることを備える、請求項１に記載の方法。
【請求項１３】
前記バックライトの前記強度を自動的に調整することが、前記バックライトの前記強度を下げることを備える、請求項１に記載の方法。
【請求項１４】
プロセッサと、
前記プロセッサに結合され、ディスプレイと前記ディスプレイを照明するバックライトとを含むディスプレイシステムと通信するように構成されたディスプレイインターフェースと
を備える装置であって、
前記プロセッサが、ユーザ起動タスクに応答して、前記ディスプレイを照明する前記バックライトを減光するように前記ディスプレイインターフェースを制御し、前記ユーザ起動タスクが完了するより前に、前記ユーザ起動タスクの進行に基づいて前記バックライトの強度を自動的に調整するように構成された、
装置。
【請求項１５】
電子デバイス内の前記ディスプレイインターフェースに結合された前記ディスプレイシステムをさらに備える、請求項１４に記載の装置。
【請求項１６】
前記電子デバイスがワイヤレス通信デバイスを備える、請求項１５に記載の装置。
【請求項１７】
前記バックライトの前記強度を自動的に調整することが、前記ユーザ起動タスクの完了を検出するより前に前記バックライトの前記強度を複数回調整すること備える、請求項１４に記載の装置。
【請求項１８】
前記バックライトの前記強度を自動的に調整することは、前記ユーザ起動タスクの前記進行が第１のしきい値を満たすときを判断し、前記ユーザ起動タスクの前記進行が前記第１のしきい値を満たすこと検出すると、前記バックライト強度を第１の量だけ調整することと、前記ユーザ起動タスクの前記進行が第２のしきい値を満たすときを判断し、前記ユーザ起動タスクの前記進行が前記第２のしきい値を満たすことを検出すると、前記バックライト強度を第２の量だけ調整することとを備える、請求項１７に記載の装置。
【請求項１９】
前記ユーザ起動タスクの前記進行が、前記ユーザ起動タスクを完了するために残っている推定時間量に少なくとも部分的に基づく、請求項１４に記載の装置。
【請求項２０】
前記プロセッサは、前記ユーザ起動タスクが完了したことを検出すると、前記バックライトを元の強度に戻すように構成された、請求項１４に記載の装置。
【請求項２１】
ユーザによって起動されたタスクに応答して、電子デバイスのディスプレイスクリーンを照明するバックライトを減光するためのコードと、
前記タスクが完了するより前に、前記タスクの進行に基づいて前記バックライトの強度を自動的に調整するためのコードと
を備えるコンピュータ実行可能コードを記憶するコンピュータ可読媒体。
【請求項２２】
前記タスクの完了を検出するより前に前記バックライトの前記強度を複数回調整することによって前記バックライトの前記強度を自動的に調整するためのコードをさらに備える、請求項２１に記載のコンピュータ可読媒体。
【請求項２３】
前記タスクの前記進行が第１のしきい値を満たすときを判断し、前記タスクの前記進行が前記第１のしきい値を満たすことを検出すると、前記バックライト強度を第１の量だけ調整することと、前記タスクの前記進行が第２のしきい値を満たすときを判断し、前記タスクの前記進行が前記第２のしきい値を満たすことを検出すると、前記バックライト強度を第２の量だけ調整することとを行うためのコードをさらに備える、請求項２２に記載のコンピュータ可読媒体。
【請求項２４】
前記タスクが完了したことを検出すると、前記バックライトを元の強度に戻すためのコードをさらに備える、請求項２１のコンピュータ可読媒体。
【請求項２５】
ユーザによって起動されたタスクに応答して、電子デバイスのディスプレイスクリーンを照明するバックライトを減光するための手段と、
前記タスクが完了するより前に、前記タスクの進行に基づいて前記バックライトの強度を自動的に調整するための手段と
を備える、装置。
【請求項２６】
自動的に調整するための前記手段が、前記タスクの完了を検出するより前に前記バックライトの前記強度を複数回調整するための手段をさらに備える、請求項２５に記載の装置。
【請求項２７】
前記タスクの前記進行が第１のしきい値を満たすときを判断し、前記タスクの前記進行が前記第１のしきい値を満たすことを検出すると、前記バックライト強度を第１の量だけ調整することと、前記タスクの前記進行が第２のしきい値を満たすときを判断し、前記タスクの前記進行が前記第２のしきい値を満たすことを検出すると、前記バックライト強度を第２の量だけ調整することとを行うための手段をさらに備える、請求項２６に記載の装置。
【請求項２８】
前記タスクが完了したことを検出すると、前記バックライトを元の強度に戻すための手段をさらに備える、請求項２５に記載の装置。
【発明の詳細な説明】
【技術分野】
【０００１】
本開示は、一般にバックライト強度を調整することに関する。
【０００２】
関連技術の説明
技術の進歩により、コンピューティングデバイスは、より小型でより強力になった。たとえば、現在、小型で、軽量で、ユーザが容易に持ち運べる、ポータブルワイヤレス電話、携帯情報端末（ＰＤＡ）、およびページングデバイスなど、ワイヤレスコンピューティングデバイスを含む、様々なポータブルパーソナルコンピューティングデバイスが存在する。より具体的には、セルラー電話やインターネットプロトコル（ＩＰ）電話など、ポータブルワイヤレス電話は、ワイヤレスネットワークを介してボイスおよびデータパケットを通信することができる。さらに、多くのそのようなワイヤレス電話は、その中に組み込まれた他のタイプのデバイスを含む。たとえば、ワイヤレス電話は、デジタルスチルカメラおよびデジタルビデオカメラをも含むことができる。また、そのようなワイヤレス電話は、インターネットにアクセスするために使用され得る、ウェブブラウザアプリケーションなど、ソフトウェアアプリケーションを含む、実行可能な命令を処理することができる。しかしながら、そのようなポータブルコンピューティングデバイスの電力消費は、デバイス内のバッテリーを急速に消耗させることがある。
【０００３】
さらに、これらのデバイスは、ウェブをブラウズすること、電子メールメッセージを読み、書き、送ること、ドキュメントをダウンロード／アップロード／レビューすることなどのために、（頻度と時間の長さの両方において）よりしばしば使用されている。この活動は、電力消費を増加させ、さらにバッテリー寿命を短縮することになる。これらの機能の使用を可能にするために、これらのデバイスのディスプレイスクリーンはより大きくなっている。しかしながら、より大きいディスプレイをもつデバイスのスクリーンを照明するためには、しばしば、より多くの電力が必要とされる。ユーザがポータブルコンピューティングデバイスと対話している間、ディスプレイを照明しているディスプレイのバックライトは、かなりの電力量を消費することがある。したがって、バックライトによって使用される電力量を低減することが有益であろう。
【発明の概要】
【０００４】
ディスプレイを照明するように構成されたバックライトが、ユーザによって起動されたタスクに応答して減光され、タスクが完了するより前に、タスクの進行に基づいてバックライト強度が調整される。たとえば、ユーザが電子デバイス上でウェブサイトをブラウズしており、リンクをクリックすると、電子デバイスは、直ちにバックライト強度をより低い電力レベルに下げ得る。ページがダウンロードされ、レンダリングされる際に、完全な結果が表示されるまで、ページダウンロードの進行に基づいてバックライト強度を徐々に上げることができる。
【０００５】
特定の実施形態では、バックライトの強度を調整する方法が開示される。本方法は、ユーザによって起動されたタスクに応答して、電子デバイスのディスプレイスクリーンを照明するバックライトを減光することを含む。本方法はまた、タスクが完了するより前に、タスクの進行に基づいてバックライトの強度を自動的に調整することを含む。
【０００６】
別の特定の実施形態では、プロセッサとそのプロセッサに結合されたディスプレイインターフェースとを含む装置が開示される。ディスプレイインターフェースは、ディスプレイとそのディスプレイを照明するバックライトとを含むディスプレイシステムと通信するように構成される。プロセッサは、ユーザ起動タスクに応答して、ディスプレイを照明するバックライトを減光するようにディスプレイインターフェースを制御し、ユーザ起動タスクが完了するより前に、ユーザ起動タスクの進行に基づいてバックライトの強度を自動的に調整するように構成される。
【０００７】
開示する実施形態のうちの少なくとも１つによって提供される１つの特定の利点は、電力が節約され得ることと、バックライト強度を調整することによってバッテリー寿命が増加され得ることである。
【０００８】
本開示の他の態様、利点、および特徴は、図面の簡単な説明、発明を実施するための形態、および特許請求の範囲を含む、本出願全体の検討の後に明らかになろう。
【図面の簡単な説明】
【０００９】
【図１】タスクの進行に基づいてディスプレイのバックライト強度を調整するためのシステムの特定の例示的な実施形態のブロック図。
【図２】タスクの進行に基づいてディスプレイのバックライト強度を調整する方法の特定の例示的な実施形態の流れ図。
【図３】タスクの進行に基づいてディスプレイのバックライト強度を調整する方法の別の特定の例示的な実施形態の流れ図。
【図４】タスクの進行に基づいてディスプレイのバックライト強度を調整する方法の別の特定の例示的な実施形態の流れ図。
【図５】タスクの進行に基づいてディスプレイのバックライト強度を調整するためのモジュールを含むワイヤレスデバイスの特定の例示的な実施形態のブロック図。
【発明を実施するための形態】
【００１０】
図１を参照すると、タスクの進行に基づいてディスプレイのバックライト強度を調整するためのシステムの特定の実施形態が示され、全体的に１００と称される。システム１００は、電子デバイス１０２と、ユーザインターフェース１０４と、プロセッサ１０６と、メモリ１０８と、ディスプレイシステム１１２と、ディスプレイインターフェース１４２と、バス１１８と、通信回路１１０とを含む。電子デバイス１０２は、プロセッサ１０６とディスプレイインターフェース１４２とを含むパッケージまたはチップ１４０を含み得る。プロセッサ１０６は、電子デバイス１０２中に含まれる多くの機能および他の回路の動作を制御することができる。プロセッサ１０６は、ディスプレイインターフェース１４２を介してディスプレイシステム１１２を駆動し得、ユーザインターフェース１０４からユーザ入力を受信し得る。ディスプレイシステム１１２は、ディスプレイ１１４とバックライト１１６とを含む。特定の実施形態では、電子デバイス１０２は、単一の集積ユニットにおけるメディア処理および電話機能をサポートするように動作可能なポータブル電子デバイスで有り得る。
【００１１】
メモリ１０８は、コンピューティング機能を実行するために使用することができる１つまたは複数の様々なタイプのメモリを含み得る。たとえば、メモリ１０８は、フラッシュメモリ、読取り専用メモリ、プログラマブル読取り専用メモリ、消去可能プログラマブル読取り専用メモリ、および／またはランダムアクセスメモリを含み得る。メモリ１０８はファームウェアを記憶し得る。たとえば、メモリ１０８は、デバイスアプリケーション（たとえば、オペレーティングシステム、ユーザインターフェース機能、アプリケーションプログラム、およびプロセッサ機能）のためのファームウェアを記憶し得る。メモリ１０８は、連絡先および電話番号など、ユーザデータを記憶するために使用され得る。アプリケーションプログラムは、プロセッサ１０６によって実行されると、ウェブブラウジング機能、ドキュメントダウンロード／アップロード、および電子メールサービスを提供し得、データおよびボイス通信アプリケーションなど、基本的なデバイス動作を制御し得る。これらの機能はディスプレイ１１４によって可能にされ得る。メモリ１０８は、プロセッサ１０６、通信回路１１０、または両方とバス１１８を介して通信し得る。
【００１２】
ユーザインターフェース１０４は、ユーザが電子デバイス１０２と対話することを可能にし得る。たとえば、ユーザインターフェース１０４は、例示的な、非限定的な例として、ボタン、キーパッド、ダイヤル、クリックホイール、またはタッチスクリーンなど、様々な形態をとることができる。ユーザインターフェース１０４はプロセッサ１０６に結合される。プロセッサ１０６は、バス１１８を介してメモリ１０８および通信回路１１０に結合される。ユーザインターフェース１０４は、ユーザが、ユーザインターフェース１０４を介して、インターフェース１０４にあるボタンを押したことに応答してドキュメントをダウンロードすることなどのタスクを起動することを可能にし、それに応答して、プロセッサ１０６は、以下でさらに説明するように、ディスプレイ１１４のバックライト１１６を低いレベルまで減光するように構成され得る。
【００１３】
通信回路１１０は、ワイヤレス通信（たとえば、短距離通信および／または長距離通信）のための回路を含み得る。たとえば、通信回路１１０は、８０２．１１規格またはプライベートネットワークのうちの１つに従ってワイヤレス通信を可能にする回路を含み得る。また、Ｂｌｕｅｔｏｏｔｈ（登録商標）などの他のワイヤレスネットワークプロトコル規格は、識別されたプロトコルに対する代替としてか、または識別されたプロトコルに加えて、通信回路１１０によってサポートされ得る。通信回路１１０は、バス１１８を介してメモリ１０８、プロセッサ１０６、または両方と通信し得る。
【００１４】
ディスプレイシステム１１２は、グラフィックス、テキスト、ビデオ、またはそれらの任意の組合せを含むメディアをユーザに提示するように構成され得る。ディスプレイシステム１１２は、液晶ディスプレイ（ＬＣＤ）、タッチスクリーンディスプレイ、あるいは画像、ビデオまたはテキストデータを表示するための他の機構であり得るディスプレイ１１４を含む。ディスプレイシステム１１２は、ディスプレイ１１４を照明するためのバックライト１１６をも含む。バックライト１１６は、１つまたは複数の発光ダイオード（ＬＥＤ）、電球、あるいはプログラム可能なまたは調整可能な強度レベルでバックライトをディスプレイ１１４に与えることが可能な他の光源を含み得る。ディスプレイシステム１１２は、ディスプレイインターフェース１４２を介してプロセッサ１０６に結合される。特定の実施形態では、ディスプレイ１１４およびバックライト１１６はそれぞれ、プロセッサ１０６によって選択的にオンまたはオフにされ得る。
【００１５】
プロセッサ１０６は、ユーザインターフェース１０４、メモリ１０８、通信回路１１０、およびディスプレイシステム１１２に結合される。プロセッサ１０６は、呼送信および受信処理、リモートネットワークデータ転送および処理（たとえばブラウザベースのインターネットアクセス）、ならびにディスプレイ照明および制御処理などの様々な処理を実行するように構成され得る。たとえば、プロセッサ１０６は、電子デバイス１０２のオペレーティングシステムから情報を受信し、タスク１４０の進行を第１のしきい値１２４と比較することによって、代表的なタスク１４０などのユーザ起動タスクの進行を監視し得る。プロセッサ１０６は、ディスプレイインターフェース１４２を介してディスプレイシステム１１２にバックライト強度情報１２２を与えることによって、タスク１４０の進行に基づいてバックライト１１６の強度を自動的に調整するようにディスプレイインターフェース１４２を制御し得る。ディスプレイインターフェース１４２は、プロセッサ１０６に応答してバックライト１１６を減光し、バックライト１１６の強度を調整し得る。バックライト強度は、バックライト強度情報１２２および後続のバックライト強度情報１２３として示される、タスク１４０の完了を検出するより前に複数回自動的に調整され得る。
【００１６】
たとえば、タスク１４０の進行が第１のしきい値１２４を満たすことを検出すると、バックライト１１６の強度は、バックライト強度情報１２２によって第１の量だけ調整され得る。例示的な例として、第１のしきい値１２４は、タスク１４０の進行が２５パーセント完了を上回るときに満たされ得る。タスク１４０の進行が第２のしきい値１３０を満たすことを検出すると、バックライト１１６の強度は、後続のバックライト強度情報１２３によって第２の量だけ調整され得る。たとえば、第２のしきい値は、タスクの進行が４０パーセント完了を上回るときに満たされ得る。第１のしきい値１２４および第２のしきい値１３０は、タスク完了の割合に対応する任意の値であり得、電子デバイス１０２の製造業者によって決定され、メモリ１０８から検索され得る。代替的に、または追加として、第１のしきい値１２４および第２のしきい値１３０はユーザ選択可能であり得る。第１のしきい値１２４および第２のしきい値１３０は、ユニバーサルシリアルバス（ＵＳＢ）ポートなどのポートを介して、またはオペレーティングシステムもしくはアプリケーションプログラムによって電子デバイス１０２に与えられ得、あるいは通信回路１１０を介して電子デバイス１０２にワイヤレスに与えられ得る。システム１００は第１のしきい値１２４および第２のしきい値１３０を含むものとして示されているが、他の実施形態は、単一のしきい値、またはそれぞれがバックライト調整をトリガし得る３つ以上のしきい値を含み得る。
【００１７】
バックライト強度情報１２２および後続のバックライト強度情報１２３は、１つまたは複数の強度または輝度値を含み得る。たとえば、バックライト強度情報１２２は、例示的な、非限定的な例として、バックライト１１６の１つまたは複数のあらかじめ定義された強度または輝度値、あるいは調整可能な強度レベルを示す値（たとえば、０〜２５５の値）を含み得る。バックライト強度情報１２２および後続のバックライト強度情報１２３はメモリ１０８から検索され得る。さらに、バックライト強度情報１２２および後続のバックライト強度情報１２３は、タスク１４０の進行が第１のしきい値１２４または第２のしきい値１３０のうちの１つを初めに上回り、その後、初めに上回ったしきい値１２４、１３０を下回ったときにバックライト１１６を減光する強度または輝度値を含み得る。たとえば、ブラウザは、コンテンツをダウンロードするタスクの進行における初期推定（たとえば、３０パーセントが完了し、第１のしきい値を上回る）を行い得るが、ますます多くのコンテンツがロードされると、タスク完了割合全体が２０パーセント完了まで減少することがある（たとえば、初めに推定されたものよりも多くの情報が、ダウンロードされ、処理される必要がある）。その場合、後続のバックライト強度情報１２３は、第１のしきい値１２４を上回っていないタスク進行に対応する強度レベルまでバックライト１１６を減光し得る。
【００１８】
動作中、アプリケーションプログラムまたはオペレーティングシステムは、ユーザによって起動されたタスク１４０の進行に関する進行情報を提供し得、バックライト１１６の強度はタスク１４０の進行に基づいて自動的に調整され得る。たとえば、ユーザが電子デバイス１０２上でウェブサイトをブラウズしており、ユーザがユーザインターフェース１０４を介してリンクにアクセスするためにボタンを押すこと、またはタッチスクリーンにタッチすることによってタスクを起動する場合、プロセッサ１０６は、ユーザによって起動されたタスクに応答して、ディスプレイシステム１１２に与えられたバックライト強度情報によってバックライト１１６を低いレベルまで減光するように構成され得る。ウェブページ１９０、ドキュメント１９４、または電子メール（Ｅメール）１９２などの情報がダウンロードされ、レンダリングされるとき、タスク１４０が完了するより前に、タスク１４０が完了し、タスク１４０の結果がディスプレイ１１４において与えられるまで、バックライト１１６の強度は１回または複数回調整され得る。
【００１９】
バックライト１１６の強度を調整することは、第１のしきい値１２４および第２のしきい値１３０と比較したタスク１４０の進行に基づいて、またタスク１４０の進行がバックライト強度情報１２２および後続のバックライト強度情報１２３に比較するとき、バックライト１１６の強度を上げる（または下げる）ことによって達成され得る。前に説明したように、第１のしきい値１２４および第２のしきい値１３０は様々な基準に従って設定され得、バックライト強度情報１２２および後続のバックライト強度情報１２３は、１つまたは複数の所定の強度レベルにバックライト１１６を調整し得る。たとえば、第１のしきい値１２４および第２のしきい値１３０などのしきい値は、タスク１４０が１０パーセント完了するごとに、特定のしきい値を上回ったときに、それに応じてバックライト１１６の強度が１０パーセントだけ調整され、ディスプレイ１１４の輝度またはバックライト１１６の強度に基づいて、ユーザにタスクの進行の指示を与えるように設定され得る。
【００２０】
別の例として、第１のしきい値１２４は５０パーセントに設定され得、第２のしきい値１３０は８０パーセントに設定され得る。タスク１４０がユーザによって起動されたとき、バックライト１１６は、電力を節約するために１０パーセント強度レベルまで減光され得る。タスク１４０の進行が第１のしきい値１２４（たとえば、５０パーセント）を上回ったとき、バックライト１１６の強度は２０パーセント強度レベルまで上げられ得、タスク１４０の進行が第２のしきい値１３０（たとえば、８０パーセント）を上回ったとき、バックライト１１６の強度は、ほぼ完全な強度（たとえば９０パーセント）まで上げられ得る。バックライト１１６の強度をより長い時間期間の間、より低いレベル（たとえば、タスクの起動時に１０パーセント強度、５０パーセントタスク完了時に２０パーセント強度、８０パーセントタスク完了時に９０パーセント強度）に保つことによって、バックライトによる電力消費が低減され得、バッテリー寿命が延長され得、ユーザのエクスペリエンスが向上し得る。
【００２１】
特定の実施形態では、バックライト１１６の強度は、タスク１４０の進行に基づいて自動的に調整され得る。たとえば、特定の実施形態では、タスク１４０の進行は、電子デバイス１０２のオペレーティングシステムから情報を受信することによって、プロセッサ１０６により監視され得る。例示のために、タスク１４０が、通信回路１１０などを介して代表的なドキュメント１９４のデータ転送を開始することを含むとき、送信されるべき総データ量（たとえばファイルサイズ）など、タスク１４０の完了のための基準を示す完了データ１９６が受信され得る。さらに、進行データ１９８（たとえば、送信された総データ量、または送信されるべき残りのデータ量）もまた、完了データ１９６と比較されるために周期的に、または連続的に受信または計算され得る。タスク１４０の進行、推定残り時間１４２、１つまたは複数の他のタスク関連メトリック、あるいはそれらの任意の組合せは、進行データ１９８および完了データ１９６に少なくとも部分的に基づいて判断または推定され得る。それに応答して、バックライト１１６の強度はバックライト強度情報１２２によって調整され得る。
【００２２】
バックライト１１６の強度は、タスク１４０の完了より前に増分的に（incrementally）複数回上げられ得る。たとえば、タスク１４０の進行が第１のしきい値１２４を満たすことを検出すると、バックライト１１６の強度は、バックライト強度情報１２２により増分的に第１の量だけ上げられ得る。タスク１４０の進行が第２のしきい値１３０を満たすことを検出すると、バックライト１１６の強度は、後続のバックライト強度情報１２３により増分的に第２の量だけ上げられ得る。特定の実施形態では、タスク１４０の進行は、タスク１４０を完了するための推定残り時間１４２に少なくとも部分的に基づき得る。推定残り時間１４２は、電子デバイス１０２のオペレーティングシステムによってプロセッサ１０６に与えられ得る。
【００２３】
図２を参照すると、タスクの進行に基づいてバックライト強度を調整する方法の例示的な実施形態の流れ図が示され、全体的に２００と称される。方法２００は、図１のシステム１００の電子デバイス１０２など、ディスプレイバックライトを有する電子デバイスによって実行され得る。本方法は２０２において開始し、電話などの電子デバイスがアイドル状態にある。２０４において、ユーザアクション、またはユーザによって起動されたタスクがあったかどうかの判断を行う。たとえば、ウェブサイトにアクセスし、そのウェブサイトから情報をダウンロードするために、ユーザが図１のユーザインターフェース１０４を介してボタンを押したとき、またはタッチスクリーンにタッチしたときなどに、ユーザ入力が受信されたかどうかの判断が行われ得る。ユーザアクションが判断された場合、２０６において、バックライト減光機能が使用可能にされたどうかの判断を行う。使用可能でない場合、２０８において、タスク（たとえば、情報をダウンロードすること）が進み、完了し、２０２において、本方法はアイドル状態に戻る。バックライトを減光する機能が使用可能にされた場合、２１０において、バックライトを低いレベルまで減光し、２１２において、タスクは処理を続ける。たとえば、図１のプロセッサ１０６は、図１のバックライト１１６を低いレベルまで減光するために、図１のディスプレイシステム１１２に図１のバックライト強度情報１２２を与え得る。
【００２４】
次いで２１４において、タスクが完了したどうかの判断を行う。タスクが完了したと判断された場合、２１６において、バックライトを元の強度まで上げ、処理は２０２に戻る。タスクが完了したと判断されない場合、２１８において、タスクの進行が次のしきい値を超えたかどうかの判断を行う。たとえば、タスクは、図１の第１のしきい値１２４および第２のしきい値１３０など、１つまたは複数のしきい値を有し得、各しきい値に達したと判断されたとき、バックライト強度が調整され得る。
【００２５】
タスクの進行が次のしきい値を超えていないと判断された場合、処理は２１２に戻る。タスクの進行が次のしきい値を超えたと判断された場合、２２０において、バックライト強度を次の強度レベルまで上げ、その後、処理は２１２に戻る。特定の実施形態では、バックライト強度は、図１のバックライト強度情報１２２または１２３によって上げられ得る。
【００２６】
バックライト強度は、タスクの完了を検出するより前に、増分的に複数回上げられ得る。たとえば、図１のプロセッサ１０６は、図１の電子デバイス１０２のオペレーティングシステムから情報を受信し、タスク１４０の進行を図１の第１のしきい値１２４と比較することによって、ユーザ起動タスクの進行を監視し得る。プロセッサ１０６は、図１のバックライト強度情報１２２を図１のディスプレイシステム１１２に与えることによって、タスク１４０の進行に基づいて図１のバックライト１１６の強度を自動的に調整し得る。図１のバックライト１１６の強度は、タスク１４０の進行が図１の第１のしきい値１２４を満たすことを検出すると、増分的に第１の量だけ上げられ得、タスク１４０の進行が図１の第２のしきい値１３０を満たすことを検出すると、増分的に第２の量だけ上げられ得る。特定の実施形態では、タスク１４０の進行は、図１の電子デバイス１０２のオペレーティングシステムによって図１のプロセッサ１０６に与えられる、タスク１４０を完了するために残っている推定時間量に少なくとも部分的に基づき得る。
【００２７】
当業者なら諒解するように、方法２００は、方法２００の要素を実行するためのコンピュータ実行コードによって実装され得る。たとえば、コンピュータは、フィールドプログラマブルゲートアレイ（ＦＰＧＡ）、特定用途向け集積回路（ＡＳＩＣ）、中央処理ユニット（ＣＰＵ）、デジタル信号プロセッサ（ＤＳＰ）、コントローラ、別のハードウェアデバイス、ファームウェアデバイス、またはそれらの任意の組合せによって実装され得る。
【００２８】
図３を参照すると、タスクの進行に基づいてディスプレイのバックライトの強度を調整する方法の例示的な実施形態の流れ図が示され、全体的に３００と称される。方法３００は、図１のシステム１００の電子デバイス１０２などのポータブル電子デバイスによって実行され得る。３０２において、ユーザによって起動されたタスクに応答して、電子デバイスのディスプレイを照明するバックライトを減光する。例示的な実施形態では、バックライトは図１のバックライト１１６であり得、ディスプレイは図１のディスプレイ１１４であり得、タスクは図１のユーザインターフェース１０４を介してユーザによって起動されたタスク１４０であり得る。
【００２９】
３０４において、タスクが完了するより前に、タスクの進行に基づいてバックライトの強度を自動的に調整する。たとえば、タスク１４０の進行は、図１の第１のしきい値１２４と比較され得る。タスク１４０の進行が第１のしきい値１２４を超えた場合、バックライト１１６の強度は次の強度レベルまで上げられ得る。バックライトの強度は、タスクの完了を検出するより前に、増分的に複数回上げられ得る。たとえば、タスクの進行が図１の第１のしきい値１２４を満たすことを検出すると、図１のバックライト１１６の強度は増分的に第１の量だけ上げられ得、タスク１４０の進行が図１の第２のしきい値１３０を満たすことを検出すると、増分的に第２の量だけ上げられ得る。
【００３０】
バックライトを減光し、次いで、タスクの進行に基づいてバックライトの強度を自動的に調整することによって、ユーザエクスペリエンスに対する影響を最小限に抑えながら、バックライトによる電力消費が低減され得る。その結果、バッテリー寿命が延長され得、ユーザのエクスペリエンスが向上し得る。当業者なら諒解するように、方法３００は、方法３００の要素を実行するためのコンピュータ実行コードによって実装され得る。たとえば、コンピュータは、フィールドプログラマブルゲートアレイ（ＦＰＧＡ）、特定用途向け集積回路（ＡＳＩＣ）、中央処理ユニット（ＣＰＵ）、デジタル信号プロセッサ（ＤＳＰ）、コントローラ、別のハードウェアデバイス、ファームウェアデバイスまたはそれらの任意の組合せであり得る。
【００３１】
図４を参照すると、タスクの進行に基づいてディスプレイのバックライトの強度を調整する方法の例示的な実施形態の流れ図が示され、全体的に４００と称される。方法４００は、図１のシステム１００の電子デバイス１０２などのポータブル電子デバイスによって実行され得る。
【００３２】
４０２において、ユーザによって起動されたタスクに応答して、電子デバイスのディスプレイを照明するバックライトを減光する。たとえば、ユーザは、図１の電子デバイス１０２を使用してウェブサイトをブラウズし、ユーザインターフェース１０４を介してリンクをクリックし得、バックライト１１６は低いレベルまで減光され得る。４０４において、タスクが完了するより前に、タスクの進行に基づいてバックライトの強度を自動的に調整する。たとえば、ウェブページ、ドキュメント、または電子メールなどの情報がダウンロードされ、レンダリングされる際に、タスクが完了するより前に、完全な結果が表示されるまで、バックライト１１６の強度を増分的に上げることができる。
【００３３】
４０６において、タスクが完了したことを検出すると、ユーザにアラートする。たとえば、ウェブページ、ドキュメント、または電子メールがダウンロードされ、レンダリングされると、ユーザはアラートされ得る。特定の実施形態では、ユーザは、可聴信号、触覚信号、あるいは可聴信号と触覚信号の両方によってアラートされ得る。さらに、４０８において、タスクが完了したことを検出すると、バックライトを元の強度に戻す。
【００３４】
バックライトを減光し、次いで、タスクの進行に基づいてバックライトの強度を自動的に調整することによって、ユーザエクスペリエンスに対する影響を最小限に抑えながら、バックライトによる電力消費が低減され得る。その結果、バッテリー寿命が延長され得、ユーザのエクスペリエンスが向上し得る。当業者なら諒解するように、方法４００は、方法４００の要素を実行するためのコンピュータ実行コードによって実装され得る。たとえば、コンピュータは、フィールドプログラマブルゲートアレイ（ＦＰＧＡ）、特定用途向け集積回路（ＡＳＩＣ）、中央処理ユニット（ＣＰＵ）、デジタル信号プロセッサ（ＤＳＰ）、コントローラ、別のハードウェアデバイス、ファームウェアデバイス、またはそれらの任意の組合せによって実装され得る。
【００３５】
図５を参照すると、本明細書で説明したように、タスクの進行に基づいてディスプレイのバックライト強度を調整するための回路を含む、ワイヤレス電話などの電子デバイスの特定の例示的な実施形態のブロック図が示され、全体的に５００と称される。デバイス５００は、メモリ５３２に結合され、タスクの進行に基づいてディスプレイ５２８のバックライト強度を調整するための回路５６４にも結合された、デジタル信号プロセッサ（ＤＳＰ）５１０などのプロセッサを含む。
【００３６】
図５はまた、デジタル信号プロセッサ５１０と、タスクの進行に基づいてディスプレイ５２８のバックライト強度を調整するための回路５６４とに結合されたディスプレイインターフェース５２６を示す。コーダ／デコーダ（コーデック）５３４はまたデジタル信号プロセッサ５１０に結合され得る。スピーカー５３６およびマイクロフォン５３８はコーデック５３４に結合され得る。また、振動機構５５０などの触覚信号発生器は、デジタル信号プロセッサ５１０に結合され得る。
【００３７】
図５はまた、ワイヤレスインターフェース５４０がデジタル信号プロセッサ５１０とワイヤレスアンテナ５４２とに結合され得ること示す。特定の実施形態では、ＤＳＰ５１０、ディスプレイインターフェース５２６、メモリ５３２、コーデック５３４、ワイヤレスインターフェース５４０、およびタスクの進行に基づいてディスプレイ５２８のバックライト強度を調整するための回路５６４は、システムインパッケージまたはオンチップシステム５２２中に含まれ得る。特定の実施形態では、入力デバイス５３０および電源５４４はオンチップシステム５２２に結合される。さらに、特定の実施形態では、図５に示すように、ディスプレイ５２８、入力デバイス５３０、スピーカー５３６、マイクロフォン５３８、ワイヤレスアンテナ５４２、振動機構５５０、および電源５４４は、オンチップシステム５２２の外部にある。しかしながら、各々は、インターフェースまたはコントローラなど、オンチップシステム５２２の構成要素に結合され得る。
【００３８】
特定の実施形態では、ＤＳＰ５１０は、メモリ５３２に記憶された命令５９０など、プロセッサ可読媒体からのプロセッサ可読プログラム命令を実行する。たとえば、メモリ５３２は、ＤＳＰ５１０によって読取り可能であり得、命令５９０は、図２〜図４の方法のうちの１つまたは複数を実行するための、ＤＳＰ５１０によって実行可能である動作可能命令であり得る。たとえば、命令５９０は、ユーザによって起動されたタスクに応答して、モバイルデバイスのディスプレイスクリーンを照明するバックライトを減光するための、ＤＳＰ５１０によって実行可能である命令を含み得る。たとえば、バックライトはディスプレイ５２８のバックライトであり得る。命令５９０は、タスクが完了するより前に、タスクの進行に基づいてバックライトの強度を自動的に調整するための、ＤＳＰ５１０によって実行可能である命令をさらに含み得る。命令５９０は、タスクが完了したことを検出すると、スピーカー５３６を介した可聴信号などによって、または振動機構５５０などを介した触覚信号によってユーザにアラートするための、ＤＳＰ５１０によって実行可能である命令をさらに含み得る。命令５９０は、タスクが完了したことを検出すると、バックライトを元の強度に戻すための、ＤＳＰ５１０によって実行可能である命令をさらに含み得る。
【００３９】
さらに、本明細書で開示する実施形態に関して説明した様々な例示的な論理ブロック、構成、モジュール、回路、およびアルゴリズムステップは、電子ハードウェア、プロセッサによって実行されるコンピュータソフトウェア、または両方の組合せとして実装され得ることを当業者なら諒解されよう。様々な例示的な構成要素、ブロック、構成、モジュール、回路、およびステップを、上記では概してそれらの機能に関して説明した。そのような機能をハードウェアとして実装するか、プロセッサによって実行されるソフトウェアとして実装するかは、特定の適用例および全体的なシステムに課される設計制約に依存する。当業者は、説明した機能を特定の適用例ごとに様々な方法で実装し得るが、そのような実装の決定は、本開示の範囲からの逸脱を生じるものと解釈すべきではない。
【００４０】
１つまたは複数の例示的な実施形態では、説明した機能を、ハードウェア、プロセッサによって実行されるソフトウェア、ファームウェア、またはそれらの組合せで実装することができ得る。開示した機能は、デバイス中で実行されると、そのデバイスに、本明細書で説明した技法のうちの１つまたは複数を実行させるプログラムコードを備えるコンピュータ可読媒体を対象とし得る。この場合、コンピュータ可読媒体は、ランダムアクセスメモリ（ＲＡＭ）、同期ダイナミックランダムアクセスメモリ（ＳＤＲＡＭ）、読取り専用メモリ（ＲＯＭ）、不揮発性ランダムアクセスメモリ（ＮＶＲＡＭ）、電気消去可能プログラマブル読取り専用メモリ（ＥＥＰＲＯＭ）、フラッシュメモリなどの有形記憶媒体を備え得る。
【００４１】
プログラムコードは、コンピュータ可読命令の形態でメモリに記憶され得る。その場合、ＤＳＰなどのプロセッサは、画像処理技法のうちの１つまたは複数を実行するために、メモリに記憶された命令を実行し得る。ある場合には、それらの技法は、画像処理を加速するために、様々なハードウェア構成要素を起動するＤＳＰによって実行され得る。他の場合には、本明細書で説明したユニットは、マイクロプロセッサ、１つまたは複数の特定用途向け集積回路（ＡＳＩＣ）、１つまたは複数のフィールドプログラマブルゲートアレイ（ＦＰＧＡ）、あるいは何らかの他のハードウェアとソフトウェアとの組合せとして実装され得る。
【００４２】
本明細書で開示する実施形態に関して説明する方法またはアルゴリズムのステップは、直接ハードウェアで実施されるか、プロセッサによって実行されるソフトウェアモジュールで実施されるか、またはその２つの組合せで実施され得る。ソフトウェアモジュールは、ランダムアクセスメモリ（ＲＡＭ）、フラッシュメモリ、読取り専用メモリ（ＲＯＭ）、プログラマブル読取り専用メモリ（ＰＲＯＭ）、消去可能プログラマブル読取り専用メモリ（ＥＰＲＯＭ）、電気消去可能プログラマブル読取り専用メモリ（ＥＥＰＲＯＭ）、レジスタ、ハードディスク、リムーバブルディスク、コンパクトディスク読取り専用メモリ（ＣＤ−ＲＯＭ）、または当技術分野で知られている他の形態の有形記憶媒体に常駐し得る。例示的な記憶媒体は、プロセッサが記憶媒体から情報を読み取り、記憶媒体に情報を書き込むことができるように、プロセッサに結合される。代替として、記憶媒体はプロセッサに一体化され得る。プロセッサおよび記憶媒体は特定用途向け集積回路（ＡＳＩＣ）中に常駐し得る。ＡＳＩＣは、コンピューティングデバイスまたはユーザ端末中に常駐し得る。代替として、プロセッサおよび記憶媒体は、コンピューティングデバイスまたはユーザ端末中に個別構成要素として常駐し得る。
【００４３】
開示した実施形態の上記の説明は、開示した実施形態を当業者が作成または使用できるように行ったものである。これらの実施形態への様々な変更は当業者にはすぐに明らかになり、本明細書で定義された原理は本開示の範囲から逸脱することなく他の実施形態に適用できる。したがって、本開示は、本明細書に示した実施形態に限定されるものではなく、特許請求の範囲によって定義される原理および新規の特徴と合致することが可能な最も広い範囲が与えられるべきものである。
【図１】
2013525907.tif 000003
【図２】
2013525907.tif 000004
【図３】
2013525907.tif 000005
【図４】
2013525907.tif 000006
【図５】
2013525907.tif 000007
【手続補正書】
【提出日】平成24年12月18日(2012.12.18)
【手続補正１】
【補正対象書類名】特許請求の範囲
【補正対象項目名】全文
【補正方法】変更
【補正の内容】
【特許請求の範囲】
【請求項１】
電子デバイスのディスプレイによる提示のためのデータの転送のための、ユーザによって起動されたデータ転送タスクに応答して、前記ディスプレイを照明するバックライトを自動的に減光することと、
前記データ転送タスクが完了するより前に、前記データ転送タスクの進行に基づいて前記バックライトの強度を自動的に調整することと
を備える方法。
【請求項２】
前記データ転送タスクが、ウェブページをダウンロードすることを含む、請求項１に記載の方法。
【請求項３】
前記データ転送タスクが、ドキュメントをダウンロードすることを含む、請求項１に記載の方法。
【請求項４】
前記データ転送タスクが、電子メールにアクセスすることを含む、請求項１に記載の方法。
【請求項５】
前記データ転送タスクが完了したことを検出すると、ユーザにアラートすることをさらに備える、請求項１に記載の方法。
【請求項６】
前記ユーザが可聴信号によってアラートされる、請求項５に記載の方法。
【請求項７】
前記ユーザが触覚信号によってアラートされる、請求項５に記載の方法。
【請求項８】
前記バックライトの前記強度を自動的に調整することが、前記データ転送タスクの完了を検出するより前に前記バックライトの前記強度を複数回調整することを備える、請求項１に記載の方法。
【請求項９】
前記バックライトの前記強度を自動的に調整することは、前記データ転送タスクの前記進行が第１のしきい値を満たすときを判断し、前記データ転送タスクの前記進行が前記第１のしきい値を満たすことを検出すると、前記バックライト強度を第１の量だけ調整することと、前記データ転送タスクの前記進行が第２のしきい値を満たすときを判断し、前記データ転送タスクの前記進行が前記第２のしきい値を満たすことを検出すると、前記バックライト強度を第２の量だけ調整することとを備える、請求項８に記載の方法。
【請求項１０】
前記データ転送タスクの前記進行は、前記データ転送タスクを完了するために残っている推定時間量に少なくとも部分的に基づいて推定される、請求項１に記載の方法。
【請求項１１】
前記データ転送タスクが完了したことを検出すると、前記バックライトを元の強度に戻すことをさらに備える、請求項１に記載の方法。
【請求項１２】
前記バックライトの前記強度を自動的に調整することが、前記バックライトの前記強度を上げることを備える、請求項１に記載の方法。
【請求項１３】
前記バックライトの前記強度を自動的に調整することが、前記バックライトの前記強度を下げることを備える、請求項１に記載の方法。
【請求項１４】
前記ディスプレイによる提示のためのデータの前記転送が完了したとき、前記データ転送タスクが完了される、請求項１に記載の方法。
【請求項１５】
プロセッサと、
前記プロセッサに結合され、ディスプレイと前記ディスプレイを照明するバックライトとを含むディスプレイシステムと通信するように構成されたディスプレイインターフェースと
を備える装置であって、
前記プロセッサが、前記ディスプレイによる提示のためのデータの転送のためのユーザ起動データ転送タスクに応答して、前記ディスプレイを照明する前記バックライトを減光するように前記ディスプレイインターフェースを制御し、前記ユーザ起動データ転送タスクが完了するより前に、前記ユーザ起動データ転送タスクの進行に基づいて前記バックライトの強度を自動的に調整するように構成された、
装置。
【請求項１６】
電子デバイス内の前記ディスプレイインターフェースに結合された前記ディスプレイシステムをさらに備える、請求項１５に記載の装置。
【請求項１７】
前記電子デバイスがワイヤレス通信デバイスを備える、請求項１５に記載の装置。
【請求項１８】
前記バックライトの前記強度を自動的に調整することが、前記ユーザ起動データ転送タスクの完了を検出するより前に前記バックライトの前記強度を複数回調整すること備える、請求項１５に記載の装置。
【請求項１９】
前記バックライトの前記強度を自動的に調整することは、前記ユーザ起動データ転送タスクの前記進行が第１のしきい値を満たすときを判断し、前記ユーザ起動データ転送タスクの前記進行が前記第１のしきい値を満たすこと検出すると、前記バックライト強度を第１の量だけ調整することと、前記ユーザ起動データ転送タスクの前記進行が第２のしきい値を満たすときを判断し、前記ユーザ起動データ転送タスクの前記進行が前記第２のしきい値を満たすことを検出すると、前記バックライト強度を第２の量だけ調整することとを備える、請求項１７に記載の装置。
【請求項２０】
前記ユーザ起動データ転送タスクの前記進行は、前記ユーザ起動データ転送タスクを完了するために残っている推定時間量に少なくとも部分的に基づいて推定される、請求項１５に記載の装置。
【請求項２１】
前記プロセッサは、前記ユーザ起動データ転送タスクが完了したことを検出すると、前記バックライトを元の強度に戻すように構成された、請求項１５に記載の装置。
【請求項２２】
前記ディスプレイによる提示のためのデータの前記転送が完了したとき、前記データ転送タスクが完了される、請求項１５に記載の装置。
【請求項２３】
電子デバイスのディスプレイによる提示のためのデータの転送のための、ユーザによって起動されたデータ転送タスクに応答して、ディスプレイスクリーンを照明するバックライトを減光するためのコードと、
前記データ転送タスクが完了するより前に、前記データ転送タスクの進行に基づいて前記バックライトの強度を自動的に調整するためのコードと
を備えるコンピュータ実行可能コードを記憶するコンピュータ可読媒体。
【請求項２４】
前記データ転送タスクの完了を検出するより前に前記バックライトの前記強度を複数回調整することによって前記バックライトの前記強度を自動的に調整するためのコードをさらに備える、請求項２３に記載のコンピュータ可読媒体。
【請求項２５】
前記データ転送タスクの前記進行が第１のしきい値を満たすときを判断し、前記データ転送タスクの前記進行が前記第１のしきい値を満たすことを検出すると、前記バックライト強度を第１の量だけ調整することと、前記データ転送タスクの前記進行が第２のしきい値を満たすときを判断し、前記データ転送タスクの前記進行が前記第２のしきい値を満たすことを検出すると、前記バックライト強度を第２の量だけ調整することとを行うためのコードをさらに備える、請求項２４に記載のコンピュータ可読媒体。
【請求項２６】
前記データ転送タスクが完了したことを検出すると、前記バックライトを元の強度に戻すためのコードをさらに備える、請求項２３のコンピュータ可読媒体。
【請求項２７】
前記ディスプレイによる提示のためのデータの前記転送が完了したとき、前記データ転送タスクが完了される、請求項２３に記載のコンピュータ可読媒体。
【請求項２８】
電子デバイスのディスプレイによる提示のためのデータの転送のための、ユーザによって起動されたデータ転送タスクに応答して、ディスプレイスクリーンを照明するバックライトを減光するための手段と、
前記データ転送タスクが完了するより前に、前記データ転送タスクの進行に基づいて前記バックライトの強度を自動的に調整するための手段と
を備える、装置。
【請求項２９】
自動的に調整するための前記手段が、前記データ転送タスクの完了を検出するより前に前記バックライトの前記強度を複数回調整するための手段をさらに備える、請求項２８に記載の装置。
【請求項３０】
前記データ転送タスクの前記進行が第１のしきい値を満たすときを判断し、前記データ転送タスクの前記進行が前記第１のしきい値を満たすことを検出すると、前記バックライト強度を第１の量だけ調整することと、前記データ転送タスクの前記進行が第２のしきい値を満たすときを判断し、前記データ転送タスクの前記進行が前記第２のしきい値を満たすことを検出すると、前記バックライト強度を第２の量だけ調整することとを行うための手段をさらに備える、請求項２９に記載の装置。
【請求項３１】
前記データ転送タスクが完了したことを検出すると、前記バックライトを元の強度に戻すための手段をさらに備える、請求項２８に記載の装置。
【請求項３２】
ディスプレイによる提示のためのデータの前記転送が完了したとき、前記データ転送タスクが完了される、請求項２８に記載の装置。
【手続補正２】
【補正対象書類名】明細書
【補正対象項目名】００４３
【補正方法】変更
【補正の内容】
【００４３】
開示した実施形態の上記の説明は、開示した実施形態を当業者が作成または使用できるように行ったものである。これらの実施形態への様々な変更は当業者にはすぐに明らかになり、本明細書で定義された原理は本開示の範囲から逸脱することなく他の実施形態に適用できる。したがって、本開示は、本明細書に示した実施形態に限定されるものではなく、特許請求の範囲によって定義される原理および新規の特徴と合致することが可能な最も広い範囲が与えられるべきものである。
なお、以下に、出願当初の特許請求の範囲に記載された発明を付記する。
［Ｃ１］
ユーザによって起動されたタスクに応答して、電子デバイスのディスプレイを照明するバックライトを減光することと、
前記タスクが完了するより前に、前記タスクの進行に基づいて前記バックライトの強度を自動的に調整することと
を備える方法。
［Ｃ２］
前記タスクが、ウェブページをダウンロードすることを含む、［Ｃ１］に記載の方法。
［Ｃ３］
前記タスクが、ドキュメントをダウンロードすることを含む、［Ｃ１］に記載の方法。
［Ｃ４］
前記タスクが、電子メールにアクセスすることを含む、［Ｃ１］に記載の方法。
［Ｃ５］
前記タスクが完了したことを検出すると、ユーザにアラートすることをさらに備える、［Ｃ１］に記載の方法。
［Ｃ６］
前記ユーザが可聴信号によってアラートされる、［Ｃ５］に記載の方法。
［Ｃ７］
前記ユーザが触覚信号によってアラートされる、［Ｃ５］に記載の方法。
［Ｃ８］
前記バックライトの前記強度を自動的に調整することが、前記タスクの完了を検出するより前に前記バックライトの前記強度を複数回調整することを備える、［Ｃ１］に記載の方法。
［Ｃ９］
前記バックライトの前記強度を自動的に調整することは、前記タスクの前記進行が第１のしきい値を満たすときを判断し、前記タスクの前記進行が前記第１のしきい値を満たすことを検出すると、前記バックライト強度を第１の量だけ調整することと、前記タスクの前記進行が第２のしきい値を満たすときを判断し、前記タスクの前記進行が前記第２のしきい値を満たすことを検出すると、前記バックライト強度を第２の量だけ調整することとを備える、［Ｃ８］に記載の方法。
［Ｃ１０］
前記タスクの前記進行が、前記タスクを完了するために残っている推定時間量に少なくとも部分的に基づく、［Ｃ１］に記載の方法。
［Ｃ１１］
前記タスクが完了したことを検出すると、前記バックライトを元の強度に戻すことをさらに備える、［Ｃ１］に記載の方法。
［Ｃ１２］
前記バックライトの前記強度を自動的に調整することが、前記バックライトの前記強度を上げることを備える、［Ｃ１］に記載の方法。
［Ｃ１３］
前記バックライトの前記強度を自動的に調整することが、前記バックライトの前記強度を下げることを備える、［Ｃ１］に記載の方法。
［Ｃ１４］
プロセッサと、
前記プロセッサに結合され、ディスプレイと前記ディスプレイを照明するバックライトとを含むディスプレイシステムと通信するように構成されたディスプレイインターフェースと
を備える装置であって、
前記プロセッサが、ユーザ起動タスクに応答して、前記ディスプレイを照明する前記バックライトを減光するように前記ディスプレイインターフェースを制御し、前記ユーザ起動タスクが完了するより前に、前記ユーザ起動タスクの進行に基づいて前記バックライトの強度を自動的に調整するように構成された、
装置。
［Ｃ１５］
電子デバイス内の前記ディスプレイインターフェースに結合された前記ディスプレイシステムをさらに備える、［Ｃ１４］に記載の装置。
［Ｃ１６］
前記電子デバイスがワイヤレス通信デバイスを備える、［Ｃ１５］に記載の装置。
［Ｃ１７］
前記バックライトの前記強度を自動的に調整することが、前記ユーザ起動タスクの完了を検出するより前に前記バックライトの前記強度を複数回調整すること備える、［Ｃ１４］に記載の装置。
［Ｃ１８］
前記バックライトの前記強度を自動的に調整することは、前記ユーザ起動タスクの前記進行が第１のしきい値を満たすときを判断し、前記ユーザ起動タスクの前記進行が前記第１のしきい値を満たすこと検出すると、前記バックライト強度を第１の量だけ調整することと、前記ユーザ起動タスクの前記進行が第２のしきい値を満たすときを判断し、前記ユーザ起動タスクの前記進行が前記第２のしきい値を満たすことを検出すると、前記バックライト強度を第２の量だけ調整することとを備える、［Ｃ１７］に記載の装置。
［Ｃ１９］
前記ユーザ起動タスクの前記進行が、前記ユーザ起動タスクを完了するために残っている推定時間量に少なくとも部分的に基づく、［Ｃ１４］に記載の装置。
［Ｃ２０］
前記プロセッサは、前記ユーザ起動タスクが完了したことを検出すると、前記バックライトを元の強度に戻すように構成された、［Ｃ１４］に記載の装置。
［Ｃ２１］
ユーザによって起動されたタスクに応答して、電子デバイスのディスプレイスクリーンを照明するバックライトを減光するためのコードと、
前記タスクが完了するより前に、前記タスクの進行に基づいて前記バックライトの強度を自動的に調整するためのコードと
を備えるコンピュータ実行可能コードを記憶するコンピュータ可読媒体。
［Ｃ２２］
前記タスクの完了を検出するより前に前記バックライトの前記強度を複数回調整することによって前記バックライトの前記強度を自動的に調整するためのコードをさらに備える、［Ｃ２１］に記載のコンピュータ可読媒体。
［Ｃ２３］
前記タスクの前記進行が第１のしきい値を満たすときを判断し、前記タスクの前記進行が前記第１のしきい値を満たすことを検出すると、前記バックライト強度を第１の量だけ調整することと、前記タスクの前記進行が第２のしきい値を満たすときを判断し、前記タスクの前記進行が前記第２のしきい値を満たすことを検出すると、前記バックライト強度を第２の量だけ調整することとを行うためのコードをさらに備える、［Ｃ２２］に記載のコンピュータ可読媒体。
［Ｃ２４］
前記タスクが完了したことを検出すると、前記バックライトを元の強度に戻すためのコードをさらに備える、［Ｃ２１のコンピュータ可読媒体。
［Ｃ２５］
ユーザによって起動されたタスクに応答して、電子デバイスのディスプレイスクリーンを照明するバックライトを減光するための手段と、
前記タスクが完了するより前に、前記タスクの進行に基づいて前記バックライトの強度を自動的に調整するための手段と
を備える、装置。
［Ｃ２６］
自動的に調整するための前記手段が、前記タスクの完了を検出するより前に前記バックライトの前記強度を複数回調整するための手段をさらに備える、［Ｃ２５］に記載の装置。
［Ｃ２７］
前記タスクの前記進行が第１のしきい値を満たすときを判断し、前記タスクの前記進行が前記第１のしきい値を満たすことを検出すると、前記バックライト強度を第１の量だけ調整することと、前記タスクの前記進行が第２のしきい値を満たすときを判断し、前記タスクの前記進行が前記第２のしきい値を満たすことを検出すると、前記バックライト強度を第２の量だけ調整することとを行うための手段をさらに備える、［Ｃ２６］に記載の装置。
［Ｃ２８］
前記タスクが完了したことを検出すると、前記バックライトを元の強度に戻すための手段をさらに備える、［Ｃ２５］に記載の装置。
【国際調査報告】
2013525907.tif 000008
2013525907.tif 000009
2013525907.tif 000010